(57)【要約】【課題】羽根車を内包することで接触による不安感をなくしつつ、広範囲に略均一な風速の気流を提供することを実現できる送風装置を提供することを目的とする。【解決手段】空気清浄機能付送風装置１１は、筐体１２に空気を取り入れる吸込口１４と、高圧空気を発生するための羽根車１６と羽根車１６を駆動するためのモータ１７で構成された高圧空気発生手段１８と、筐体１２の側面から互いに等しい間隔をとって放射状に延設させた複数の等しい長さの柱状体１３とを備え、柱状体１３に備えた吹出口１９から吹出す空気に誘引される空気の誘引風路２２が間隔により形成されるものであり、羽根車を内包することで接触による不安感をなくしつつ、広範囲に略均一な風速の気流を実現できる。【選択図】図１
2018035704.tif 000002
【特許請求の範囲】
【請求項１】
空気を取入れる吸込口を備えた筐体と、
前記筐体の内部で高圧空気を発生する羽根車と前記羽根車を駆動するモータとを有する高圧空気発生部と、
前記筐体の側面で互いに間隔をとって放射状に延設した複数の柱状体と
を有し、
前記柱状体の側部には吹出口を備え、
前記柱状体の内部には前記吹出口に連通するダクトを備え、
前記柱状体は前記高圧空気発生部で発生させた高圧空気を放射状の中心軸方向に対して鋭角にかつ外向きに吹き出すノズルを形成し、
前記間隔が前記ノズルから吹出す空気によって誘引される空気の誘引風路を形成し、前記放射状の中心部側に前記吹出口から吹出す高圧空気の到達しない負圧領域を備えた送風装置。
【請求項２】
複数の前記ノズルを等間隔に備えたことを特徴とする請求項１に記載の送風装置。
【請求項３】
複数の前記ノズルの互いに対向する吹出口は、放射状の中心軸を中心とした円の円周上に配置したことを特徴とする請求項１または２に記載の送風装置。
【請求項４】
複数の前記ノズルの長さが等しいことを特徴とする請求項１から３のいずれか一つに記載の送風装置。
【請求項５】
前記ノズルの放射方向の長さが、隣り合うノズル間長さの最大長さより大きいことを特徴とする請求項４に記載の送風装置。
【請求項６】
前記ダクトが形成する風路を横切る断面が吹出方向に縦長であることを特徴とする請求項１から５のいずれか一つに記載の送風装置。
【請求項７】
前記ノズルからの空気の吹出風量が、中心部側に比べて中心部から離れた位置の方が大きいことを特徴とする請求項１乃至６いずれか一つに記載の送風装置。
【請求項８】
前記ノズルの吹出口は放射状の中心軸の一方向側へ向けて配置し、吸込口は前記ノズルの前記吹出口とは逆の側に配置したことを特徴とする請求項１から７のいずれか一つに記載の送風装置。
【請求項９】
前記筐体は前記吹出口側の第一面と反対側の第二面を有し、放射状の中心軸方向において、前記吹出口を備えた側部から前記側部とは反対側の側部までの距離は、前記吹出口を備えた側部から前記第二面までの距離よりも小さいことを特徴とする請求項１から８のいずれか一つに記載の送風装置。
【請求項１０】
請求項１から９のいずれか一つに記載の送風装置の吸込口に、空気浄化フィルタを備えたことを特徴とする空気清浄機能付送風装置。
【発明の詳細な説明】
【技術分野】
【０００１】
本発明は、居室内に設置され、直接気流による体感温度の減少や室内の空気の循環に使用される扇風機や天井扇などの送風装置、および送風装置内に取り込む空気を浄化し、浄化された空気を直接気流による体感温度の減少や室内の空気の循環に使用する空気清浄機能付送風装置に関するものである。
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている（例えば、特許文献１参照）。
【０００３】
以下、その送風装置について図７および図８を参照しながら説明する。
【０００４】
図７には、送風機組立体１００の正面視図を、図８には、送風機組立体１００の要部断面図を示している。送風機組立体１００は、中央開口部１０２を画定する環状ノズル１０１を有している。送風機組立体１００の基部１１６内部には、環状ノズル１０１を通る空気流を生じさせる送風装置が配置されている。送風装置は、インペラ（羽根車）１３０が、モータハウジング１２６と共に配置されたモータ１２２から外方に延びる回転シャフトに連結され、ディフューザ１３２が、インペラ１３０の下流側に位置決めされている。モータ１２２は、図示しない電気接続部及び電源に接続され、複数個の選択ボタン１２０により、ユーザは、送風機組立体１００を操作することができる。
【０００５】
上記構成で、送風機組立体１００は、以下のように動作する。
【０００６】
ユーザが複数個の選択ボタン１２０の中から好みのボタンを選択してモータ１２２が起動されると、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００７】
空気流は、口１１２に入る際に絞られ、口１１２の出口１４４で更に絞られる。この絞りにより、環状ノズル１０１内に圧力が生じる。
【０００８】
このように作られた空気流は、絞りにより生じる圧力に打ち勝ち、一次空気流として出口１４４を通って出る。一次空気流は、ガイド部分１４８の配置により、ユーザに向かって集中または集束して向けられる。二次空気流は、外部環境、特に出口１４４周りの領域及び環状ノズル１０１の外縁部周りからの空気の吸引によって生じる。この二次空気流は、中央開口部１０２を通り、ここで、一次空気流と混ざり合って送風機組立体１００から前方に放出される全空気流が生じる。
【先行技術文献】
【特許文献】
【０００９】
【特許文献１】特開２０１０−０７７９６９号公報
【発明の概要】
【発明が解決しようとする課題】
【００１０】
このような従来の送風装置では、一次空気流が出口から出ることにより、二次空気流は外部環境、特に出口周りの領域及び環状ノズルの外縁部周りからの空気の吸引によって生じるものであるため、中央開口部の環状ノズル近傍では空気の吸引が大きく、中央開口部の中心に近づくにつれ空気の吸引が小さくなるものである。このため、広範囲に気流を送るために環状ノズルの直径を大きくすると、中央開口部の中心付近の気流が小さくなり、広範囲に略均一な風速の気流を提供することができないという課題があった。
【００１１】
そこで本発明は、上記従来の課題を解決するものであり、広範囲に略均一な風速の気流を提供することを実現できる送風装置、および空気清浄機能付送風装置を提供することを目的とする。
【課題を解決するための手段】
【００１２】
そして、この目的を達成するために、本発明は、空気を取入れる吸込口を備えた筐体と、
前記筐体の内部で高圧空気を発生する羽根車と前記羽根車を駆動するモータとを有する高圧空気発生部と、前記筐体の側面で互いに間隔をとって放射状に延設した複数の柱状体とを有し、前記柱状体の側部には吹出口を備え、前記柱状体の内部には前記吹出口に連通するダクトを備え、
前記柱状体は前記高圧空気発生部で発生させた高圧空気を放射状の中心軸方向に対して鋭角にかつ外向きに吹き出すノズルを形成し、前記間隔が前記ノズルから吹出す空気によって誘引される空気の誘引風路を形成し、前記放射状の中心部側に前記吹出口から吹出す高圧空気の到達しない負圧領域を備えた送風装置としたものであり、これにより所期の目的を達成するものである。
【発明の効果】
【００１３】
本発明によれば、空気を取入れる吸込口を備えた筐体と、前記筐体の内部で高圧空気を発生する羽根車と前記羽根車を駆動するモータとを有する高圧空気発生部と、前記筐体の側面で互いに間隔をとって放射状に延設した複数の柱状体とを有し、前記柱状体の側部には吹出口を備え、前記柱状体の内部には前記吹出口に連通するダクトを備え、前記柱状体は前記高圧空気発生部で発生させた高圧空気を放射状の中心軸方向に対して鋭角にかつ外向きに吹き出すノズルを形成し、前記間隔が前記ノズルから吹出す空気によって誘引される空気の誘引風路を形成し、前記放射状の中心部側に前記吹出口から吹出す高圧空気の到達しない負圧領域を備えた送風装置としたことにより、広範囲に略均一な風速の気流を提供することを実現できる。
【図面の簡単な説明】
【００１４】
【図１】本発明の実施の形態１の空気清浄機能付送風装置の斜視図
【図２】同実施の形態１の空気清浄機能付送風装置の正面図
【図３】同実施の形態１の空気清浄機能付送風装置の切断線Ａ―Ａ´で断面を示す構成図
【図４】同実施の形態１の空気清浄機能付送風装置の切断線Ｂ―Ｂ´での断面を示す構成図
【図５】本発明の実施の形態２の送風装置を天井に設置した際の斜視図
【図６】本発明の実施の形態２の送風装置の正面図
【図７】従来技術の一例を示す正面図
【図８】従来技術の一例を示す断面図
【発明を実施するための形態】
【００１５】
本発明の請求項１に係わる送風装置は、空気を取入れる吸込口を備えた筐体と、前記筐体の内部で高圧空気を発生する羽根車と前記羽根車を駆動するモータとを有する高圧空気発生部と、前記筐体の側面で互いに間隔をとって放射状に延設した複数の柱状体とを有し、前記柱状体の側部には吹出口を備え、前記柱状体の内部には前記吹出口に連通するダクトを備え、前記柱状体は前記高圧空気発生部で発生させた高圧空気を放射状の中心軸方向に対して鋭角にかつ外向きに吹き出すノズルを形成し、前記間隔が前記ノズルから吹出す空気によって誘引される空気の誘引風路を形成し、前記放射状の中心部側に前記吹出口から吹出す高圧空気の到達しない負圧領域を備えたことを特徴とするものである。
【００１６】
これにより、吹出口からの高圧空気の吹出しにより誘引される空気が小さくならないよう間隙を設けて複数のノズルが放射状に備えられているため、効率よく空気を誘引することができる。吹出口からの高圧空気の吹出しは放射状の中心軸方向に対して鋭角にかつ外向きに吹き出すものであるが、放射状の中心部側に吹出口から吹出す高圧空気の到達しない領域を備えることで、放射状の中心部側の高圧空気の到達しない領域は負圧領域となり、負圧領域の作用により高圧空気と高圧空気に誘引される空気の一部を放射状の中心部側に引き寄せることができるため、複数の吹出口から吹出された高圧空気と、吹出口からの高圧空気の吹出しにより誘引される空気からなる面気流を放射状の柱状体に対向する円領域内で広範囲に略均一な風速の気流とすることができる。
【００１７】
ここで、略均一な風速とは最大風速の半分までの風速を示し、高圧空気とは大気圧以上の空気を示すものとする。
【００１８】
また、請求項２に係わる送風装置は、複数の前記ノズルを等間隔に備えたことを特徴とするものである。
【００１９】
これにより、複数のノズル間の吹出口からの高圧空気の吹出しにより誘引される空気の量を同一にすることができるため、複数の吹出口から吹出された高圧空気と、吹出口からの高圧空気の吹出しにより誘引される空気からなる面気流を放射状の柱状体に対向する円領域内で広範囲に略均一な風速の気流とすることができる。
【００２０】
また、請求項３に係わる送風装置は、複数の前記ノズルの互いに対向する吹出口は、放射状の中心軸を中心とした円の円周上に配置したことを特徴とするものである。
【００２１】
これにより、吹出口からの高圧空気の吹出し方向を中心軸に対して同心円上で対称にすることができ、誘引空気も高圧空気の吹出し方向に応じて流れるため、複数の吹出口から吹出された高圧空気と、吹出口からの高圧空気の吹出しにより誘引される空気からなる面気流を放射状の柱状体に対向する円領域内で広範囲に略均一な風速の気流とすることができる。
【００２２】
また、請求項４に係わる送風装置は、複数の前記ノズルの長さが等しいことを特徴とするものである。
【００２３】
これにより、吹出口からの高圧空気の吹出し方向を中心軸に対して対称にすることができ、誘引空気も高圧空気の吹出し方向に応じて流れるため、複数の吹出口から吹出された高圧空気と、吹出口からの高圧空気の吹出しにより誘引される空気からなる面気流を放射状の柱状体に対向する円領域内で広範囲に略均一な風速の気流とすることができる。
【００２４】
また、請求項５に係わる送風装置は、前記ノズルの放射方向の長さが、隣り合うノズル間長さの最大長さより大きいことを特徴とするものである。
【００２５】
これにより、ノズルの放射方向の最外部の吹出口でも、隣り合う吹出口からの高圧空気の吹出しにより空気を誘引することができるため、複数の吹出口から吹出された高圧空気と、吹出口からの高圧空気の吹出しにより誘引される空気からなる面気流を放射状の柱状体に対向する円領域の外周部にも広範囲に略均一な風速の気流とすることができる。
【００２６】
また、請求項６に係わる送風装置は、前記ダクトが形成する風路を横切る断面が吹出方向に縦長であることを特徴とするものである。
【００２７】
これにより、高圧空気発生部で発生させた高圧空気のダクト内での放射方向の流れを、効率よく吹出口からの吹出し方向に整流することができる。
【００２８】
また、請求項７に係わる送風装置は、前記ノズルからの空気の吹出風量が、中心部側に比べて中心部から離れた位置の方が大きいことを特徴とするものである。
【００２９】
これにより、同一の吹出し風流量では、ノズル間隔が大きくなると、誘引する空気量は、ノズルの放射方向の中心部よりも外側では相対的に小さくなりやすいが、ノズルの放射方向の中心部よりも外側で吹出口からの高圧空気の吹出風量が大きくすることで、ノズルの放射方向の外側の方で誘引する空気の量を大きくすることができ、放射状の柱状体に対向する円領域の外周部にも広範囲に略均一な風速の気流とすることができる。
【００３０】
また、請求項８に係わる送風装置は、前記ノズルの吹出口は放射状の中心軸の一方向側へ向けて配置し、吸込口は前記ノズルの前記吹出口とは逆の側に配置したことを特徴とするものである。
【００３１】
これにより、吹出口から吹出す高圧空気や、高圧空気に誘引される空気が吸込口に吸い込まれるのを抑制することができるため、効率よく面気流を生み出すことができる。
【００３２】
また、請求項９に係わる送風装置は、前記筐体は前記吹出口側の第一面と反対側の第二面を有し、放射状の中心軸方向において、前記吹出口を備えた側部から前記側部とは反対側の側部までの距離は、前記吹出口を備えた側部から前記第二面までの距離よりも小さいことを特徴とするものである。
【００３３】
これにより、第二面を天井や壁に接して送風装置を配置しても、吹出口を備えた側部とは反対側の側部と第二面との間に間隙が生じるため、十分な誘引空気の風路を確保することができ、送風性能を維持することができる。
【００３４】
また、請求項１０に係わる空気清浄機能付送風装置は、送風装置の吸込口に、空気浄化フィルタを備えたことを特徴とする空気清浄機能付送風装置とするものである。
【００３５】
これにより、吸込口から取り込まれた空気は空気浄化フィルタにより浄化され吹出口から吹出されるため、使用者に浄化された空気を提供することができる。
【００３６】
以下、本発明の実施の形態について図面を参照しながら説明する。
【００３７】
（実施の形態１）
図１に斜視図を、図２に正面図を、図３に切断線Ａ―Ａ´での断面を示す構成図を、図４に切断線Ｂ―Ｂ´での断面を示す構成図を示す。
【００３８】
本実施の形態の送風装置として、空気清浄機能付送風装置１１は、筐体１２の第二面３５側を天井面または壁面に取付けて使用するものである。
【００３９】
図２に示すように筐体１２に放射状に複数の柱状体１３を備えたものである。
【００４０】
図３に示すように、筐体１２の側面上部に配置し筐体１２内に空気を取り入れる吸込口１４と、吸込口１４に装着し取り入れた空気を浄化する円筒形状に備えた空気浄化フィルタ１５と、高圧空気を発生するための羽根車１６と羽根車１６を駆動するためのモータ１７で構成された高圧空気発生手段１８と、筐体１２の側面下部から互いに等しい間隔をとって水平方向に放射状に延設させた複数の等しい長さの柱状体１３（本実施形態では１６本）とを備えている。
【００４１】
柱状体１３の側部には、筐体１２の吸込口１４とは反対側の面（図３では下側の面）に吹出口１９を備え、柱状体１３の内部には、高圧空気を吹出口１９に導くためのダクト２０を備えている。ダクト２０は、少なくとも柱状体１３と同数備えている。ダクト２０の断面は、ダクト２０内での放射方向の流れを、効率よく吹出口１９からの吹出し方向に整流するために、図４に示すように吹出方向に縦長に備えられている。
【００４２】
図１に示すように、筐体１２は、吹出口１９の備えられている側の筐体１２の面を第一面３４、反対側の筐体１２の面を第二面３５と、側面  からなる円筒である。
【００４３】
柱状体１３は、吹出口１９を備えているノズル側面３６を柱状体１３を延設した放射状の中心軸２３の方向において第一面３４と同じ側に配置し、中心軸２３の方向において第一面３４と反対側の面をダクト側面３７として備えている。ノズル側面３６とダクト側面３７の幅（吹出口１９を備えた側部から該側部とは反対側の側部までの最大の距離）は、ノズル側面３６から第二面３５までの長さより小さく備えられている。すなわち、ダクト側面３７は第二面３５に対して中心軸２３の方向で間隙を設けて備えられているものである。
【００４４】
図３に示すように柱状体１３は、高圧空気発生部で発生させた高圧空気を中心軸２３の方向に対して鋭角にかつ外向きに吹き出すノズル２１を形成し、隣り合う柱状体１３の間の間隔が、ノズル２１から吹出す空気によって誘引される空気の誘引風路２２を形成されている。つまり、本実施の形態の例では柱状体１３を１６本設けているので、柱状体１３に挟まれた間隔にそれぞれ誘引風路２２が柱状体１３と同数の１６本形成できる。ここで、ダクト２０と吹出口１９の間には、吹出口１９においてノズル２１から吹出す高圧空気の方向を制御する風向制御板２９は、中心軸２３に近い中心部側を中心軸２３から離れた外周部側よりも密に備えられている。
【００４５】
図２、図３に示すように、複数のノズル２１の相対する吹出口１９は、放射状の中心軸２３を中心とした任意の半径の円の円周２４上に配置されており、一例として相対する吹出口Ｃ２５、吹出口Ｄ２６は円周２４上に配置されている。
【００４６】
図２に示すように、複数のノズル２１の放射方向長さ２７は等しく、放射方向長さ２７は隣り合うノズル２１間の長さの最大間隔長さ２８より大きく備えられている。
【００４７】
なお、本実施の形態では、図２において、一例として柱状体１３の本数が１６本、柱状体１３の幅が３５ｍｍ、ノズル２１の放射方向長さ２７が５００ｍｍ、最大間隔長さ２８が２３０ｍｍ、ノズル側面３６とダクト側面３７の幅が１８０ｍｍの場合を示している。また本実施の形態では、柱状体１３の垂直方向の断面形状は、長方形形状としたが、吹出し方向に縦長であればよく、楕円など別の形状でもよい。
【００４８】
また、空気浄化フィルタ１５には、既知の集塵フィルタや活性炭などの脱臭フィルタを用いることができる。この空気浄化フィルタ１５を通過した空気は、ほこりや花粉、アレルギー物質などが取り除かれた浄化空気となり羽根車１６に供給される。
【００４９】
また、風速の均一性とは後述する吹出空気流３０と誘引空気流３１が合流した面気流の風速の分布に着目したもので、吹出口１９から所定の距離を離れて正面視する平面において観測される風速の分布が、所定の範囲であることを示す。つまり前記平面での最小の風速が少なくとも最大風速の半分までは許容でできることとしている。また、高圧空気とは大気圧以上の空気を示すものとする。
【００５０】
このような構成によれば、空気清浄機能付送風装置１１が稼動すると、モータ１７が駆動し、羽根車１６が回転することにより、内部流れ３２に示すように、室内空気は、吸込口１４から空気清浄機能付送風装置１１内部に取り込まれ、空気浄化フィルタ１５で埃やにおいなどの汚れを浄化された後、羽根車１６を通過しダクト２０に至る。高圧空気は複数のダクト２０を通過し、吹出口１９近傍に設けられた風向制御板２９で風向を調整され、吹出口１９から吹出し、吹出空気流３０となる。吹出空気流３０により、図１のように誘引風路２２の空気が誘引され、誘引空気流３１となる。
【００５１】
吹出空気流３０は放射状の中心軸方向に対して鋭角にかつ外向きに吹き出すものであるので、放射状の中心部（中心軸２３）側に吹出口１９から吹出す高圧空気の到達しない領域を備えることができる。これにより、放射状に備えたノズル２１からの高圧空気の吹出しにより放射状の中心部側の高圧空気の到達しない領域は負圧領域３３となり、負圧領域３３の作用により高圧空気と高圧空気に誘引される空気の一部を放射状の中心部側に引き寄せることができるため、吹出空気流３０と誘引空気流３１からなる面気流を放射状の柱状体に対向する円領域内で広範囲に略均一な風速の気流とすることができる。
【００５２】
また、羽根車１６は筐体１２内に内包されているため、使用者が外部から接触できない構造となっているため、接触による不安感をなくすことができる。
【００５３】
ここで、複数のノズル２１は等しい長さで等間隔に備えられており、相対する吹出口１９は、中心軸２３を中心とした円の円周２４上に配置されているため、吹出口１９からの高圧空気の吹出し方向を中心軸２３に対して対称にすることができ、誘引空気も高圧空気の吹出し方向に応じて流れるため、吹出空気流３０と誘引空気流３１からなる面気流を広範囲に略均一な風速の気流とすることができる。
【００５４】
また、風向制御板２９は、吹出口１９において中心軸２３に近い中心部側ほど密に配置しているため、中央部に近い吹出口１９ほど通風抵抗が大きくなり、通風抵抗の小さい中央部から離れた吹出口１９を通過する高圧空気のほうが吹出風量が大きくすることができる。これにより、ノズル２１間隔が大きくなり、気流が中心部よりも相対的に小さくなりやすいノズル２１の放射方向の外側において、吹出口からの高圧空気の吹出風量が大きくなることでノズル２１の放射方向の外側の方が誘引する空気の量が大きくなるため、広範囲に略均一な風速の気流とすることができる。
【００５５】
筐体１２の吸込口１４とは反対側の柱状体１３の側部には吹出口１９を備えているため、吹出空気流３０や誘引空気流３１が吸込口１４に吸い込まれるのを抑制することができるため、効率よく面気流を生み出すことができる。
【００５６】
また、ノズル２１の放射方向長さ２７は隣り合うノズル２１間の長さの最大間隔長さ２８より大きく備えられているため、ノズル２１の放射方向の最外部の吹出口１９でも、隣り合う吹出口１９からの高圧空気の吹出しにより空気を誘引することができるため、吹出空気流３０と誘引空気流３１からなる面気流を広範囲に略均一な風速の気流とすることができる。
【００５７】
また、ダクト側面３７と第二面３５が間隙を設けて備えられているため、第二面３５を天井や壁に接して送風装置を配置しても間隙が生じるため、十分な誘引空気の風路を確保することができ、送風性能を維持することができる。
【００５８】
なお、本実施の形態では、空気浄化フィルタ１５を備えた空気清浄機能付送風装置１１の形態を説明した。空気浄化フィルタ１５は、送風装置としては必須ではない。
（実施の形態２）
図５に送風装置４１を天井面４２に設置した斜視図を、図６に送風装置４１の正面図を示す。なお、実施の形態１と同様の構成要素については同一の符号を付し、その詳細な説明は省略する。送風装置４１は図１と同様な構成であるが、図５、図６に示すように複数の柱状体１３（本実施形態では２４本）の長さが、長い柱状体１３が１２本、短い柱状体１３が１２本交互に配置された構成となっている。放射方向長さ２７は隣り合うノズル２１間の長さの最大間隔長さ２８より大きく備えられている。本実施の形態の場合、放射方向長さ２７の長さが異なる柱状体１３が備えられており、この場合、長い柱状体１３と隣の長い柱状体１３の間の、短い柱状体１３がない領域の空気の誘引を効率よく行う必要があるため、ここでの隣り合うノズル２１間とは、長い柱状体１３と隣の長い柱状体１３の間のことを示し、最大間隔長さ２８もこの間の長さを示すものである。
【００５９】
このような構成によれば、ノズル２１の放射方向長さ２７は隣り合うノズル２１間の長さの最大間隔長さ２８より大きく備えられているため、ノズル２１の放射方向の最外部の吹出口１９でも、隣り合う吹出口１９からの高圧空気の吹出しにより空気を誘引することができるため、吹出空気流３０と誘引空気流３１からなる面気流を広範囲に略均一な風速の気流とすることができる。
【００６０】
また、天井面４２とダクト側面３７が間隙を設けて備えられているため、十分な誘引空気の風路を確保することができ、送風性能を維持することができる。
【００６１】
なお、本実施の形態の送風装置４１は、吸込口１４に取り入れた空気を浄化する空気浄化フィルタ１５を装着することで空気清浄機能付送風装置とすることもできる。
【産業上の利用可能性】
【００６２】
本発明にかかる送風装置および空気清浄機能付送風装置は、羽根車を内包することで使用者の接触による不安感をなくしつつ、広範囲に略均一な風速の気流を提供できるため、居室内の床、天井や壁に設置され、直接気流による体感温度の減少や室内の空気の循環に使用される各種送風機器等として有用である。
【符号の説明】
【００６３】
１１    空気清浄機能付送風装置
１２    筐体
１３    柱状体
１４    吸込口
１５    空気浄化フィルタ
１６    羽根車
１７    モータ
１８    高圧空気発生手段
１９    吹出口
２０    ダクト
２１    ノズル
２２    誘引風路
２３    中心軸
２４    円周
２５    吹出口Ｃ
２６    吹出口Ｄ
２７    放射方向長さ
２８    最大間隔長さ
２９    風向制御板
３０    吹出空気流
３１    誘引空気流
３２    内部流れ
３３    負圧領域
３４    第一面
３５    第二面
３６    ノズル側面
３７    ダクト側面
４１    送風装置
４２    天井面
１００    送風機組立体
１０１    環状ノズル
１０２    中央開口部
１１０    内部通路
１１２    口
１１６    基部
１１８    外側ケーシング
１２０    選択ボタン
１２２    モータ
１２４    空気入口
１２６    モータハウジング
１３０    インペラ
１３２    ディフューザ
１３４    入口
１３６    出口
１４４    出口
１４８    ガイド部分
【図１】
2018035704.tif 000003
【図２】
2018035704.tif 000004
【図３】
2018035704.tif 000005
【図４】
2018035704.tif 000006
【図５】
2018035704.tif 000007
【図６】
2018035704.tif 000008
【図７】
2018035704.tif 000009
【図８】
2018035704.tif 000010